(57)【要約】【課題】上階の床の上下位置を簡単に変更でき、また、壁に外装材等を艤装できる蔵階付き建物を提供する。【解決手段】下階壁２１の上端面に水平構面を構成する蔵階床２３を固定し、この蔵階床２３に、上階および蔵階の壁を構成する上階壁２４を固定し、この上階壁２４の側面に、上階床２８を固定する。これによって、上階床２８の上下位置を変更する場合、下階壁２１および上階壁２４の高さを設計変更することなく、かつ、水平構面の構造設計を見直すことなく、上階壁２４の側面に対する上階床２８の固定位置を変更するだけでよく、したがって、上階床２８の上下位置を簡単に変更できる。【選択図】　　　　図１
2004019117.tif 000002
【特許請求の範囲】
【請求項１】
上階と下階との間に、収納室である蔵を有する蔵階を備えた蔵階付き建物において、
下階壁の上端面に水平構面を構成する蔵階床が固定され、
この蔵階床に、上階および蔵階の壁を構成する上階壁が固定され、
この上階壁の側面に、上階床が固定されていることを特徴とする蔵階付き建物。
【請求項２】
請求項１記載の蔵階付き建物において、
前記下階壁と上階壁とは上下の長さがほぼ等しいことを特徴とする蔵階付き建物。
【請求項３】
請求項１または２記載の蔵階付き建物において、
前記上階壁の側面に受材が固定され、
この受材に前記上階床が固定されていることを特徴とする蔵階付き建物。
【請求項４】
請求項３記載の蔵階付き建物において、
前記上階壁の内部に、前記受材を固定するための固定部材が上下に所定間隔で複数設けられていることを特徴とする蔵階付き建物。
【請求項５】
請求項１〜４のいずれかに記載の蔵階付き建物において、
前記上階床に、この上階床を上下に貫通する開口部が形成されていることを特徴とする蔵階付き建物。
【発明の詳細な説明】
【０００１】
【発明の属する技術分野】
本発明は、上階と下階との間に蔵階を備えた蔵階付き建物に関する。
【０００２】
【背景の技術】
上階（例えば２階）と下階（例えば１階）との間に蔵階を備えた建物の一例として特開平６−３２３００８号公報に記載のものが知られている。
このような蔵階を備えた建物では、例えば図６に示すように、複数の床パネルで構成された２階床１の下方に、複数のサブ床パネルで構成された蔵階床２を設けることにより、蔵階を形成している。なお、蔵階は例えば階高が１．２メートル程度であり、この蔵階の蔵には１階と２階とを行き来するための階段の踊り場等から出入するようになっている。
【０００３】
上記のような建物では、例えば図７に示すように、１階の床３上に蔵階の上端までの高さ（約４．２メートル）を有する壁パネルで構成された１階壁４を固定し、この１階壁４上に、複数の床パネルで構成された２階床１を固定している。また、２階床１の下方には、蔵階床２が、１階壁４の側面に固定されている。
この蔵階床２の固定は、１階壁４の下端から約２．６メートルの高さ位置に、受材５を固定し、この受材５に蔵階床２を設置固定することによって行われている。
【０００４】
【発明が解決しようとする課題】
ところで上述したような蔵階付きの建物では、２階の床１が１階壁４の上端面に固定されており、２階床１上に、複数の壁パネルで構成された２階壁６が固定されているので、２階床１の位置を変更したい場合は、１階壁４および２階壁６の高さを設計変更する必要がある。
また、２階床１は水平構面を構成しているので、２階床の位置を変更するには、１階壁４および２階壁６の高さの設計変更に加えて、水平構面の構造設計を見直す必要がある。
したがって、従来の蔵階付き建物では、２階床の位置を変更するが容易ではなかった。
【０００５】
また、近年では壁パネルを複数連結して大型連結パネルとして壁を構成し、この壁に外装材を予め工場等で取り付けておき、これを現場に搬送して組立てることによって現場施工を省力化することも行われている。しかし、上述したような蔵階付き建物では、１階壁（壁パネル）４の高さが２階壁（壁パネル）６に比して高くなるので、これら異なる大きさの壁をトラックのに積み込むとトラックの荷台に隙間が生じたりして、輸送効率が低下するばかりか、大きな１階壁に工場等において予め外装材を取り付けると、重量が非常に大きくなってしまい、現場での取り扱いが非常に困難になるという問題があるため、従来の蔵階付きの建物では、壁（壁パネル）に予め外装材等を取り付けておくという艤装は行っていなかった。
【０００６】
本発明は上記事情に鑑みてなされたもので、上階の床の上下位置を簡単に変更でき、また、壁に外装材等を艤装できる蔵階付き建物を提供することを目的としている。
【０００７】
【課題を解決するための手段】
上記目的を達成するために、請求項１記載の発明は、例えば図１〜図５に示すように、上階と下階との間に、収納室である蔵Ｋを有する蔵階を備えた蔵階付き建物において、
下階壁２１の上端面に水平構面を構成する蔵階床２３が固定され、
この蔵階床２３に、上階および蔵階の壁を構成する上階壁２４が固定され、
この上階壁２４の側面に、上階床２８が固定されていることを特徴とする。
【０００８】
ここで、前記下階壁および上階壁は、パネル工法によって、すなわち複数の壁パネルで構成してもよいし、ツーバイフォー工法や在来の軸組み工法によって構成してもよい。
また、蔵階床および上階床も、パネル工法によって、すなわち複数の床パネルで構成してもよいし、ツーバイフォー工法や在来の軸組み工法によって構成してもよい。
【０００９】
請求項１記載の発明によれば、下階壁２１の上端面に固定された蔵階床２３が水平構面を構成しており、この蔵階床２３に固定された上階壁２４の側面に上階床２８が固定されているので、上階床２８の上下位置を変更する場合、下階壁２１および上階壁２４の高さを設計変更することなく、かつ、水平構面の構造設計を見直すことなく、上階壁２４の側面に対する上階床２８の固定位置を変更するだけでよい。
したがって、上階床２８の上下位置を簡単に変更できる。
【００１０】
請求項２記載の発明は、請求項１記載の蔵階付き建物において、
前記下階壁２１と上階壁２４とは上下の長さがほぼ等しいことを特徴とする。
【００１１】
請求項２記載の発明によれば、下階壁２１と上階壁２４とは上下の長さがほぼ等しいので、下階壁２１と上階壁２４とをトラックの荷台に効率よく積み込むことができ、よって輸送効率が向上する。
また、従来と異なり、下階壁２１および上階壁２４に予め工場等において外装材を取りつけても、大重量となることがなく、現場での取り扱いも比較的容易であるので、下階壁２１および上階壁２４への艤装を容易に行える。
【００１２】
請求項３記載の発明は、請求項１または２記載の蔵階付き建物において、
前記上階壁２４の側面に受材３５が固定され、
この受材３５に前記上階床２８が固定されていることを特徴とする。
【００１３】
請求項３記載の発明によれば、上階壁２４の側面に固定された受材３５に、上階床２８を固定することによって、上階床２８を上階壁２４の側面に容易かつ確実に固定できる。
【００１４】
請求項４記載の発明は、請求項３記載の蔵階付き建物において、
前記上階壁２４の内部に、前記受材３５を固定するための固定部材（例えば埋木）３４が上下に所定間隔で複数設けられていることを特徴とする。
【００１５】
請求項４記載の発明によれば、上階壁２４の内部に、受材３５を固定するための固定部材３４が上下に所定間隔で複数設けられているので、所望の固定部材３４を選択することによって、受材３５を上階壁２４の所望の位置に固定でき、よって、上階床２８の高さ位置を容易に変更できる。
特に、上階床２８の位置をリフォーム等の際に変更したり、蔵の高さを変更するのに有効である。
【００１６】
請求項５記載の発明は、請求項１〜４のいずれかに記載の蔵階付き建物において、
前記上階床２８に、この上階床２８を上下に貫通する開口部２８ａが形成されていることを特徴とする。
【００１７】
請求項５記載の発明によれば、上階床２８に形成された開口部２８ａを通して、上階と蔵階の蔵Ｋとの行き来や、蔵Ｋに対して収納物の出し入れを容易に行える。
【００１８】
【発明の実施の形態】
以下、図面を参照して本発明の実施の形態について説明する。
図１は本実施の形態の蔵階付き建物の要部の縦断面図、図２は蔵階付き建物の概略構成を示す図である。
これらの図に示すように、蔵階付き建物は、１階（下階）と２階（上階）との間に蔵階を備えた構成となっている。蔵階とは、収納室である蔵Ｋを備えた階のことであり、高さは約１．４メートル程度となっている。
【００１９】
１階は以下のような構成となっている。
すなわち、基礎１５に床パネルが複数設置されることによって、１階床２０が形成されている。この床パネル２０上には１階壁（下階壁）２１が立設されている。この１階壁２１は、複数の壁パネルを連結することによって構成されたものである。壁パネルは、框材を矩形枠状に組立て、この矩形枠の表裏両面にそれぞれ合板等の面材を取り付けたものである。このような壁パネルによって構成された１階壁２１の表面には、図示しない防水透湿シートが取り付けられたうえで、胴縁を介して外装材２２が取り付けられている。この外装材２２は１階壁２１の表面に工場等によって予め取り付けられたものである。なお、外装材２２は現場で１階壁２１に取り付けてもよい。
【００２０】
蔵階および２階は以下のような構成となっている。
すなわち、前記１階壁２１の上端面には、蔵階床２３が固定されている。この蔵階床２３は、複数の床パネルを連結することによって構成されたものである。床パネルは、框材を矩形枠状に組立て、この矩形枠の上面に合板等の面材を取り付けたものである。このような蔵階床２３は、図２に示すように、対向する外壁間に亙って設けられており、これによって建物の水平構面を構成している。
【００２１】
前記蔵階床２３には、２階壁（上階壁）２４が固定されている。この２階壁２４は、複数の壁パネルを連結することによって構成されたものである。壁パネルは、框材を矩形枠状に組立て、この矩形枠の表裏両面にそれぞれ合板等の面材を取り付けたものである。このような壁パネルによって構成された２階壁２４の表面には、図示しない防水透湿シートが取り付けられたうえで、胴縁を介して外装材２５が取り付けられている。この外装材２５は２階壁２４の表面に工場等によって予め取り付けられたものである。なお、外装材２５は現場で２階壁２４に取り付けてもよい。
【００２２】
前記蔵階床２３は１階壁２１と２階壁２４に挟まれており、これら壁２１、２４の双方に接着や釘打ちによって固定されている。また、壁２１、２４は蔵階床２３の端部を貫通する胴差ボルト（図示略）によって締結され、これによっても床パネル２３は上下の壁２１、２４の双方に固定されている。
また、１階壁２１と２階壁２４とは上下の長さが等しくなっており、２階壁２４の上端面には、受材２６が固定され、複数の屋根パネルによって構成された屋根２７の軒先部が受材２６によって支持されている。
また、２階の壁、すなわち、２階壁２４から蔵階の壁を除いた壁の高さは１階壁２１より低くなっているが、２階の天井は、屋根の勾配に沿った勾配天井となっている。したがって、蔵階床２３上の２階部分は、勾配天井の分上下の高さが確保されている。
【００２３】
さらに、２階壁２４の側面には、以下のようにして２階床（上階床）２８が固定されている。
すなわちまず、２階壁２４は、図３に示すように、複数枚の壁パネル３０、３０、３１、３２、３３で構成されている。壁パネル３０、３０は上下に長尺なものであり、これら壁パネル３０、３０の上半分間に壁パネル３１が配置され、この壁パネル３１は壁パネル３０、３０に連結されている。また、壁パネル３０、３０の下半分間には、壁パネル３２、３３が上下に離間して配置され、これらは壁パネル３０、３０に連結されている。壁パネル３０、３０、３１、３２によって囲まれた部分は開口部３４とされており、この開口部３４には、図示しない建具がはめ込まれて蔵Ｋの窓となる。
【００２４】
また、壁パネル３０は、図４に示すように、桟材３０ａ、３０ｂを矩形枠状に組立ててなる矩形枠を備えている。この矩形枠の内部には、補強桟材３０ｃ、３０ｄが縦横に組付けられている。また、矩形枠の内部には、埋木（固定部材）３４が組み付けられている。この埋木３４は後述する受材を固定するためのものであり、桟材によって形成されている。また、埋木３４は、壁パネル３０の上下方向の中央部に桟材３０ｄと平行に設けられており、埋木３４の端部は桟材３０ａ、３０ｃにそれぞれ突き当てて接着や釘打ちによって固定されるか、あるいは埋木３４の端部と桟材３０ａ、３０ｃとに互いに係合する相欠きを形成し、これら相欠きによる係合によって固定されている。また、前記矩形枠の表裏両面には合板等からなる面材（図示略）が取り付けられている。
なお、本実施の形態では、埋木３４を壁パネル３０の上下方向の中央部に設けているが、これに加えて、埋木３４を上下に所定間隔（例えば１５１ｍｍピッチ）で設けてもよい。
【００２５】
埋木３４が設けられた壁パネル３０を備えた２階壁２４の内側の側面には、図１および図５に示すように、２階壁２４の上下方向中央部に受材３５が固定されている。この受材３５は２階壁２４の幅方向に長尺な角材で形成されたもので、受材３５から埋木３４に向けて釘３５ａを打ち込むことによって２階壁２４の内側の側面に受材３５が固定されている。
なお、図１においては一方の２階壁２４に固定された受材３５を図示しているが、一方の２階壁２４に対向する他方の２階壁内にも同様にして埋木が設けられ、この埋木に受材が固定されている。
【００２６】
そして、前記受材３５には２階床（上階床）２８に端部が設置固定されており、これによって、２階床２８を２階壁２４の側面に容易かつ確実に固定できる。２階床２８は、複数の床パネルを連結することによって構成されている。この床パネルは框材を矩形枠状に組立て、この矩形枠の上面に合板等の面材を取り付けてなるもので、これら床パネルによって構成された２階床２８の下面には天井材３６が取り付けられている。
【００２７】
蔵階の蔵Ｋは前記蔵階床２３と、２階床２８との間に設けられており、この蔵階の蔵Ｋには、１階から２階に至る階段（図示略）の踊り場から行き来できるようになっている。
また、２階床２８には、この２階床２８を上下に貫通する開口部２８ａが形成されており、この開口部２８ａは図示しない蓋によって開閉可能となっている。また、開口部２８ａと蔵階床２３との間には階段３７が設けられており、この階段３７を通って２階から蔵階の蔵Ｋに出入りできるようになっている。
【００２８】
本実施の形態の形態によれば、１階壁２１の上端面に固定された蔵階床２３が水平構面を構成しており、この蔵階床２３に固定された２階壁２４の側面に２階床２８が固定されているので、２階床２８の上下位置を変更する場合、１階壁２１および２階壁２４の高さを設計変更することなく、かつ、水平構面の構造設計を見直すことなく、２階壁２４の側面に対する２階床２８の固定位置を変更するだけでよい。したがって、２階床２４の上下位置を簡単に変更できる。
【００２９】
また、１階壁２１と２階壁２４とは上下の長さがほぼ等しいので、これら壁２１、２４をトラックの荷台に効率よく積み込むことができ、よって輸送効率が向上する。
また、従来と異なり、１階壁２１および２階壁２４に予め工場等において外装材２２、２５を取りつけても、大重量となることがなく、現場での取り扱いも比較的容易であるので、１階壁２１および２階壁２４への艤装を容易に行える。
【００３０】
さらに、２階壁２４内に、受材３５を固定するための埋木３４を上下に所定間隔で複数設け、所望の埋木３４を選択することによって、２階床２８が固定される受材３５の固定位置を選択でき、よって、２階床２８の高さ位置を容易に変更できる。
特に、２階床２８の位置をリフォーム等の際に変更したり、蔵Ｋの高さを変更するのに有効である。
また、２階床２８に開口部２８ａが形成されているので、蔵Ｋとの行き来や、蔵Ｋに対して収納物の出し入れを容易に行える。
【００３１】
なお、本実施の形態では、１階と２階との間に蔵階がある建物に本発明を適用した例を説明したが、建物が３階建て等である場合は、２階と３階の間に蔵階がある建物に適用してもよいのは勿論のことである。
【００３２】
【発明の効果】
以上説明したように、請求項１記載の発明によれば、蔵階床が水平構面を構成しており、この蔵階床に固定された上階壁の側面に上階床が固定されているので、下階壁および上階壁の高さを設計変更することなく、かつ、水平構面の構造設計を見直すことなく、上階壁の側面に対する上階床の固定位置を変更することによって上階床の上下位置を簡単に変更できる。
【００３３】
請求項２記載の発明によれば、下階壁と上階壁とは上下の長さがほぼ等しいので、下階壁と上階壁とをトラックの荷台に効率よく積み込むことができ、よって輸送効率が向上する。
また、下階壁および上階壁に予め工場等において外装材を取り付けても、大重量となることがないので、下階壁および上階壁への艤装を容易に行える。
【００３４】
請求項３記載の発明によれば、上階壁の側面に固定された受材に、上階床を固定することによって、上階床を上階壁の側面に容易かつ確実に固定できる。
【００３５】
請求項４記載の発明によれば、上階壁内に、上下に所定間隔で設けられた固定部材のうち、所望の固定部材を選択することによって、受材を上階壁の所望の位置に固定でき、よって、上階床の高さ位置を容易に変更できる。
特に、上階床の位置をリフォーム等の際に変更したり、蔵の高さを変更するのに有効である。
【００３６】
請求項５記載の発明によれば、上階床に形成された開口部を通して、上階と蔵階の蔵との行き来や、蔵に対して収納物の出し入れを容易に行える。
【図面の簡単な説明】
【図１】本発明の蔵階付き建物の一例を示すもので、蔵階付き建物の要部を示す縦断面図である。
【図２】同、蔵階付き建物の概略構成を示す図である。
【図３】同、蔵階と２階の壁パネルを示す正面図である。
【図４】同、蔵階と２階の壁パネルの内部を示す正面図である。
【図５】同、図１におけるＸ円部の拡大図である。
【図６】従来の蔵階付き建物の概略構成を示す図である。
【図７】従来の蔵階付き建物の要部を示す縦断面図である。
【符号の説明】
２１　１階壁（下階壁）
２３　蔵階床
２４　２階壁（上階壁）
２８　２階床（上階床）
２８ａ　開口部
３４　埋木（固定部材）
３５　受材
Ｋ　蔵
【図１】
2004019117.tif 000003
【図２】
2004019117.tif 000004
【図３】
2004019117.tif 000005
【図４】
2004019117.tif 000006
【図５】
2004019117.tif 000007
【図６】
2004019117.tif 000008
【図７】
2004019117.tif 000009